【事件の表示】
　特願２００７−５４０８９７「遊技機」拒絶査定不服審判事件〔平成１９年　４月２６日国際公開、ＷＯ２００７／０４６１９１〕について、次のとおり審決する。
【結　論】
　本件審判の請求は、成り立たない。
【理　由】
１．手続の経緯
　(国際)　出願日　平成１８年　８月２８日(優先日：平成１７年１０月１７日)
　国　内　書　面　平成２０年　４月１０日
　拒絶理由の通知　平成２２年　７月　２日(発送日：平成２２年７月６日)
　意　　見　　書　平成２２年　９月　２日
　手　続　補　正　平成２２年　９月　２日
　拒絶理由の通知　平成２２年１１月１５日(発送日：平成２２年１１月２４日)
　意　　見　　書　平成２３年　１月１４日
　手　続　補　正　平成２３年　１月１４日
　拒　絶　査　定　平成２３年　３月３０日
　補　正　却　下　平成２３年　３月３０日
　審　判　請　求　平成２３年　６月３０日
　手　続　補　正　平成２３年　６月３０日
　審　　　　　尋　平成２３年　８月　３日(発送日：平成２３年　８月　９日)
　回　　答　　書　平成２３年１０月　６日
　
２．平成２３年６月３０日付けの手続補正についての補正却下の決定
［補正却下の決定の結論］
　平成２３年６月３０日付けの手続補正を却下する。
　
［理由］
(１)補正の内容
　平成２３年６月３０日付けの手続補正書(以下「本件補正」という。)により、特許請求の範囲は、
「　【請求項１】
　遊技領域に設けられ、遊技球が入賞することにより抽選が行われる始動入賞口と、
　前記始動入賞口に上記遊技球が入賞することにより行われた前記抽選により第１の当たりとなった場合に第１の所定期間開放され、前記遊技領域を通過する遊技球を取り込み可能にする第１の大入賞口と、
　前記抽選により第２の当たりとなった場合に第２の所定期間開放され、前記遊技領域を通過する遊技球を取り込み可能にする第２の大入賞口と、
　前記第２の大入賞口から取り込まれた遊技球が入賞することが可能な特別入賞口と、
　前記特別入賞口に遊技球が入賞することにより、前記第１の大入賞口を第３の所定期間開放して前記遊技領域を通過する遊技球を取り込み可能に制御する遊技制御手段とを有し、
　前記遊技制御手段は、前記第２の当たりの当選確率を前記第１の当たり確率よりも高く設定し、前記抽選により前記第１の当たりとなった場合には前記第２の大入賞口を開放することなく前記第１の大入賞口を前記第１の所定期間開放し、前記抽選により前記第２の当たりとなった場合には、前記第１の大入賞口を開放することなく前記第２の大入賞口を前記第２の所定期間開放し、かつ、前記第２の大入賞口から取り込まれた遊技球が前記特別入賞口に入賞することにより、前記第１の大入賞口を前記第３の所定期間開放すると共に、
　前記抽選の結果報知として、第１の当たりを報知する図柄、第２の当たりを報知する図柄、第１の当たりでも第２の当たりでもない外れを報知する図柄の何れかを表示する表示手段が前記第２の大入賞口及び前記特別入賞口を備えた入賞装置内に設けられていることを特徴とする遊技機。
　　【請求項２】
　前記第２の所定期間は、前記第１の所定期間よりも短いことを特徴とする請求項１記載の遊技機。
　　【請求項３】
　前記第１の所定期間と前記第３の所定期間とは等しいことを特徴とする請求項１又は請求項２記載の遊技機。
　　【請求項４】
　前記特別入賞口に遊技球が入賞することにより前記第１の大入賞口を前記第３の所定期間開放する遊技が行われた場合、前記遊技制御手段は、当該遊技の後、所定期間、前記始動入賞口に遊技球が入賞することにより行われる抽選により第１の当たり又は第２の当たりとなる確率を高くする確率変動、及び前記抽選の結果に対応して行われる演出時間を短縮する時短変動の少なくとも一方の状態に遊技状態を制御することを特徴とする請求項１乃至請求項３の何れか１項記載の遊技機。
　　【請求項５】
　遊技領域に設けられ、遊技球が入賞することにより抽選が行われる始動入賞口と、
　前記始動入賞口に上記遊技球が入賞することにより行われた前記抽選により第１の当たりとなった場合に第１の大入賞口を第１の所定期間開放し、前記遊技領域を通過する遊技球を取り込み可能に制御する第１の遊技仕様を実行する第１の当たり遊技実行制御手段と、
　前記抽選により第２の当たりとなった場合に、第２の所定期間開放する第２の大入賞口と前記第２の大入賞口から取り込まれた遊技球が入賞することが可能な特別入賞口とを有し、前記遊技領域を通過する遊技球を前記第２の大入賞口から取り込んで前記特別入賞口に入賞可能に制御する第２の遊技仕様を実行する第２の当たり遊技実行制御手段、及び、前記第２の当たり遊技実行制御手段により開閉制御される前記第２の大入賞口から取り込まれた遊技球が上記特別入賞口に入賞することにより、前記第１の大入賞口を前記第１の所定期間開放し、前記遊技領域を通過する遊技球を取り込み可能に制御する第３の遊技仕様を実行する第３の当たり遊技実行制御手段とを備えた遊技制御手段とを有し、
　前記遊技制御手段は、前記第２の当たりの当選確率を前記第１の当たりの当選確率よりも高く設定し、前記抽選により前記第１の当たりとなった場合には、前記第１の当たり遊技実行制御手段を作動させて、前記第２の大入賞口を開放することなく前記第１の大入賞口を前記第１の所定期間開放するように制御し、前記抽選により前記第２の当たりとなった場合には、前記第２の当たり遊技実行制御手段を作動させて、前記第１の大入賞口を開放することなく前記第２の大入賞口を前記第２の所定期間開放するように制御し、かつ、前記第２の大入賞口から取り込まれた遊技球が前記特別入賞口に入賞することにより、前記第３の当たり遊技実行制御手段を作動させて、前記第２の大入賞口を開放することなく前記第１の大入賞口を前記第１の所定期間開放するように制御し、前記第１の大入賞口及び前記第２の大入賞口のそれぞれを制御すると共に、
　前記抽選の結果報知として、第１の当たりを報知する図柄、第２の当たりを報知する図柄、第１の当たりでも第２の当たりでもない外れを報知する図柄の何れかを表示する表示手段が前記第２の大入賞口及び前記特別入賞口を備えた入賞装置内に設けられていることを特徴とする遊技機。
　　【請求項６】
　放出口から放出された遊技球を自重落下させて遊技を行う遊技領域を備えた遊技盤を有し、この遊技盤の遊技領域内には、前記始動入賞口、前記第１の大入賞口、前記第２の大入賞口及び前記特別入賞口を備えた入賞装置が配置され、前記第２の大入賞口及び前記特別入賞口を備えた入賞装置は、前記始動入賞口、前記第１の大入賞口よりも前記遊技領域の上部且つ遊技領域の中心よりも前記放出口より遠ざかる位置に配置されていることを特徴とする請求項１乃至請求項５の何れか１項記載の遊技機。
　　【請求項７】
　前記第２の大入賞口及び前記特別入賞口を備えた入賞装置は、この入賞装置への遊技球の入賞口を前記放出口側に向けて設けられていることを特徴とする請求項６記載の遊技機。
　　【請求項８】
　前記入賞装置への遊技球の入賞口には、この入賞口を開閉するための開閉部材が設けられていることを特徴とする請求項７記載の遊技機。
　　【請求項９】
　前記開閉部材が設けられている前記入賞装置への遊技球の入賞口は、１個のみであることを特徴とする請求項８記載の遊技機。
　　【請求項１０】
　前記遊技球の放出口側と前記入賞装置の前記入賞口側とに挟まれた前記遊技盤の遊技領域内には、普通図柄始動入賞口及び風車を有する遊技球通路が構成されていることを特徴とする請求項６乃至請求項９の何れか１項記載の遊技機。」
に補正された。
　
　本件補正は、請求項１及び５については、補正前(平成２２年９月２日付け手続補正による補正)の請求項６(以下「旧請求項６」という。同様に平成２２年９月２日付け手続補正における請求項には、「旧」を付し区別することとする)に記載された構成を限定するとともに、さらに旧請求項６の表示手段に表示される表示内容を「第１の当たりを報知する図柄、第２の当たりを報知する図柄、第１の当たりでも第２の当たりでもない外れを報知する図柄の何れか」を表示するものと限定すると同時に、旧請求項６を削除したものである。
　それ以外に、旧請求項７を削除し、旧請求項８〜１２を２つ繰り上げて請求項６〜１０とした。
　上記のとおり、本件補正は、請求項１及び５に関しては、表示手段の設置部位及び表示内容の限定であるから、平成１８年法律第５５号改正附則第３条第１項によりなお従前の例によるとされる同法による改正前の特許法第１７条の２第４項第２号の特許請求の範囲の減縮を目的とするものに該当し、それ以外の補正は請求項の削除に伴う項番の変更であって実質的な補正はない。
　そこで、本件補正後の請求項１に記載された発明(以下、「本願補正発明」という。)が、特許出願の際独立して特許を受けることができるものであるか否か(平成１８年法律第５５号改正附則第３条第１項によりなお従前の例によるとされる同法による改正前の特許法第１７条の２第５項において準用する同法第１２６条第５項の規定に適合するか)について、以下検討する。
　
(２)引用文献に記載された事項
　原査定の拒絶の理由において引用文献として引用された特開２００５−１７７１３７号公報(以下、「引用例１」という。)には、図面とともに、以下の事項が記載されている。　
(ア)「【００１４】
  （第１の実施例）
  以下、本発明の第１の実施例について図１ないし図１２を参照しながら説明する。
  図１はパチンコ遊技機の正面外観を概略的に示し、図２は盤面のセンター役物を示している。これらの図１および図２において、パチンコ遊技機１は、その上皿２内のパチンコ玉を電動式の発射装置（操作ダイヤルのみ符号３を付して示す）により盤面４へ発射する構成になっている。盤面４には、アウト口５、共通始動入賞口６、一般的にアタッカーと呼ばれている電動役物８ａを備えた大入賞口８、複合役物９が設けられていると共に、図示しない通常入賞口も設けられている。
【００１５】
  複合役物９は、２種パチンコ遊技機（所謂ハネモノ）の機能を実現するためのセンター役物（第２役物に相当）１０内に、１種パチンコ遊技機（所謂セブン機）の機能を実現するための液晶表示部（第１役物、図柄表示部に相当）１１を配置した構成となっている。
  この場合、センター役物１０は、入賞領域を囲んだ形態の枠状部１０ａの左右両側に通常時において当該入賞領域を閉鎖するように配置された一対の羽根１０ｂを備えており、その羽根１０ｂが両側に拡開されたときに入賞領域へのパチンコ玉の入賞が可能な状態となる。また、入賞領域の底部は、中央部に形成されたＶゾーン１０ｃと当該Ｖゾーン１０ｃ以外の部分を占めるハズレ入賞口１０ｄとに区分されている。
【００１６】
  尚、入賞領域には、パチンコ玉の通過経路を不確定とするための複数のスタッド１０ｅが立設されている。また、センター役物１０において羽根１０ｂの基端部に対応した部位にはワープルート入口１０ｆが設けられており、図３に示すように羽根１０ｂの拡開に伴ってワープルート入口１０ｆにパチンコ玉が進入したときには、ワープルート出口１０ｇからパチンコ玉が入賞領域の中央に放出される。
【００１７】
  センター役物１０にあっては、共通始動入賞口６にパチンコ玉が入賞したときに、後述するように液晶表示部１１による図柄変動が終了してから羽根１０ｂを短時間だけ拡開する動作を実行する構成となっており，その拡開期間に枠状部１０ａにより囲まれた入賞領域に入賞したパチンコ玉がＶゾーン１０ｃを通過した場合に大当たり条件が成立することになる。
【００１８】
  一方、液晶表示部１１は、共通始動入賞口６へのパチンコ玉の入賞に応じて行われる所定確率の抽選動作の結果を表示するためのもので、図２では、３桁の数字列より成るルーレットを表示する例が示されている。即ち、液晶表示部１１は、共通始動入賞口６へのパチンコ玉の入賞に応じてルーレットの変動表示（本実施例の場合、数字列の各桁の「０」〜「９」の範囲での変動表示）を開始するものであり、上記抽選動作の結果が大当たりであったときにはその変動終了時点で数字列「１１１」、「２２２」、・・・のようなぞろ目図柄（大当たり図柄）となるように制御される。
【００１９】
  このように、ぞろ目図柄が表示された状態が、大当たり条件が成立した状態に相当する。そして、大当たり条件が成立したときには、大入賞口８の電動役物８ａ（アタッカー）が予め決められたモードにて所定期間だけ開放され、以って、当該大入賞口８への入賞率が大幅に高められた大当たり状態（以下、これを大当たりと呼ぶ）を呈する。
  また、保留玉記憶数（所謂保留数）は所定の最大値（例えば「４」）に制限されており、このような保留数を表示するために、液晶表示部１１には保留玉表示部１１ａが表示される。」
　
(イ)「【００２５】
  さて、遊技者によるパチンコ遊技機１での遊技により盤面４に打ち込まれたパチンコ玉が共通始動入賞口６に入賞すると、始動入賞スイッチ１２がオンして第１役物及び第２役物を作動する条件が同時期に成立し、大当たりに関連した入賞処理が行われる。
  図９は、ＣＰＵ１９による始動入賞処理を示している。この図９において、ＣＰＵ１９は、始動入賞スイッチ１２がオンしたときは（Ｓ１０１：ＹＥＳ）、保留数が「４」でないことを確認してから（Ｓ１０２：ＮＯ）、保留数をインクリメントし（Ｓ１０３）、さらに、乱数表に従い乱数値を取得すると共に、その取得した乱数値を保留玉に対応させて記憶し（Ｓ１０４）、処理を終了する。
【００２６】
  図７は、乱数表を示しており、乱数更新範囲が０〜２９９に設定されていることから、０〜２９９のうちの１つの数字を乱数値として取得することになる。この乱数表には、大当たり乱数として「７」が設定されており、大当たりの期待度は、１／３００となる。また、この乱数表には、リーチ乱数として「１」〜「６０」が設定されており、その中の「７」が当たり乱数であることから、大当たりの期待度は１／６０となる。
【００２７】
  一方、ＣＰＵは、図８に示すメイン動作において図柄変動処理を実行する。
  図１０は、ＣＰＵ１９による図柄変動処理を示している。この図１０において、ＣＰＵ１９は、大当たり中でないことを確認すると共に（Ｓ２０１：ＮＯ）、液晶表示部１１による表示図柄が停止中であることを確認し（Ｓ２０２：ＹＥＳ）、さらに、保留数が０でないことを確認したときは（Ｓ２０３：ＮＯ）、保留数をデクリメントすると共に（Ｓ２０４）、今回の抽選結果に該当する乱数が乱数表に基づいて当たり乱数かを判断する（Ｓ２０５）。この場合、該当乱数が当たり乱数となる確率は１／３００で極めて低いことから、通常においては、取得した乱数が当たり乱数となることはほとんどない。従って、ＣＰＵ１９は、該当乱数が当たり乱数でない場合は（Ｓ２０５：ＮＯ）、該当乱数がリーチ乱数かを判断する（Ｓ２１２）。このとき、該当乱数がリーチ乱数でないときは（Ｓ２１２：ＮＯ）、リーチにならずにハズレとなる図柄変動を開始する（Ｓ２１４）。また、該
当乱数がリーチ乱数のときは（Ｓ２１２：ＹＥＳ）、変動途中でリーチとなるものの最終的にはハズレとなる図柄変動を開始する（Ｓ２１３）。
  続けて、図柄変動タイマをスタートし（Ｓ２０７）、図柄変動タイマがタイムアップしたときは（Ｓ２０８：ＹＥＳ）、図柄変動を停止してから（Ｓ２０９）、停止図柄が大当たり図柄かを判断する（Ｓ２１０）。このとき、停止図柄はハズレ図柄であるので（Ｓ２１０：ＮＯ）、羽根開放処理を実行してから（Ｓ２１５）、リターンする。」
　
(ウ)「【００２８】
  図１１は、ＣＰＵ１９による羽根開放処理を示している。この図１１において、ＣＰＵ１９は、図柄変動中にリーチとなったかを判断し（Ｓ３０１）、リーチとならなかったときは（Ｓ３０１：ＮＯ）、羽根を例えば０．４秒間１回開放する（Ｓ３０６）。このとき、盤面４に打込まれたパチンコ玉が羽根１０ｂに案内されてセンター役物１０内に入賞したときは、Ｖゾーン１０ｃかハズレ入賞口１０ｄの何れかに入賞する。また、図柄変動中にリーチとなったときは（Ｓ３０１：ＹＥＳ）、羽根１０ｂを例えば０．６秒間２回開放することから、センター役物１０内に入賞する確率が高くなり、それに伴ってＶ入賞する確率が高くなる。
  続けて、ＣＰＵ１９は、役物タイマをスタートし（Ｓ３０３）、Ｖ入賞することなく役物タイマがタイムアップしたときは（Ｓ３０７：ＹＥＳ）、リターンする。」
　
(エ)「【００２９】
  さて、ＣＰＵ１９は、図１０に示す図柄変動処理において、該当乱数が当たり乱数であったときは（Ｓ２０５：ＹＥＳ）、大当たり図柄にて図柄停止する図柄変動を開始する（Ｓ２０６）。このとき、停止図柄は大当たり図柄であることから（Ｓ２１０：ＹＥＳ）、大当たり処理を実行する（Ｓ２１１）。
【００３０】
  図１２は、ＣＰＵ１９による大当たり処理を示している。この図１２において、ＣＰＵ１９は、大入賞口８を開放する。これにより、大入賞口８にパチンコ玉が連続して入賞するようになるので、ＣＰＵ１９は、入賞する毎に（Ｓ４０２：ＹＥＳ）、入賞数をインクリメントし（Ｓ４０３）、入賞数が１０個となったときは（Ｓ４０４：ＹＥＳ）、大入賞口８を閉鎖することにより（Ｓ４０５）、ラウンドを終了する。
【００３１】
  ここで、大当たり中においては、液晶表示部１１には、図５に示すように大当たり中であることを示すメッセージが表示されると共に、保留玉表示部１１ａに加えて、現在のラウンド数表示部１１ｂ、ラウンド入賞数表示部１１ｃが表示されるので、遊技者は、大当たりの進行状態を確認することができる。
  以上のようにしてラウンドを終了したときは、ＣＰＵ１９は、ラウンド数をインクリメントし（Ｓ４０６）、ラウンド数が１５となるまで（Ｓ４０７：ＮＯ）、上述したラウンドを繰り返し、ラウンドが１５回となったときは（Ｓ４０７：ＹＥＳ）、大当たり処理を終了する。
【００３２】
  以上の動作の結果、遊技者は、多数の賞球を短時間で獲得することができる。
  ところで、停止図柄がハズレ図柄であったときは、遊技者は、失望感を覚えるものの、停止図柄がハズレ図柄で停止したときは、上述したように、図１１に示す羽根開放処理において羽根１０ｂが開放され、センター役物１０内にパチンコ玉が入賞、ひいてはＶ入賞する確率が高くなるので、大当たりの期待から遊技に熱中するようになる。この場合、特に図柄変動時にリーチとなったときは、羽根１０ｂが２回開放されることから、大当たりの期待が一層高まり、遊技者は、図柄変動中にリーチとなったときは、大当たりの期待から遊技に一層熱中するようになる。
【００３３】
  そして、羽根１０ｂの開放に伴ってセンター役物１０内に入賞したパチンコ玉がＶ入賞したときは、ＣＰＵ１９は、図１１に示す役物開放処理において、Ｖ入賞したと判断し（Ｓ３０４：ＹＥＳ）、大当たり処理を実行する（Ｓ３０５）。これにより、ＣＰＵ１９は
、図１２に示す大当たり処理を実行し、大入賞口８を開放するラウンドを１５回繰返して実行するので、遊技者は、多数の賞球を短時間で獲得することができる。
  ここで、Ｖ入賞したときは、図６に示すように、液晶表示部１１には、保留玉表示部１１ａに加えて、Ｖ入賞したことを示すメッセージが表示されるので、遊技者は、Ｖ入賞したことを確実に確認することができる。」
　
　以上、(ア)〜(エ)の記載、および図面を総合すると、引用例１には、
「盤面４に設けられ、パチンコ玉が入賞することにより乱数表に従い乱数値を取得する始動入賞処理が行われる共通始動入賞口６と、
　前記共通始動入賞口６に上記パチンコ球が入賞することにより行われた前記始動入賞処理に引き続き行われる図柄変動処理により大当たりとなった場合に予め決められたモードにて所定期間だけ開放される大入賞口８と、
　前記図柄変動処理により、リーチとならなかったときは羽根１０ｂを０．４秒間１回開放し、リーチとなったときは前記羽根１０ｂを０．６秒間２回開放するセンター役物１０と、
　前記センター役物１０内に入賞したパチンコ玉が入賞することが可能なＶゾーン１０ｃと、
　前記Ｖゾーン１０ｃにパチンコ玉が入賞することで、Ｖ入賞したと判断し、大当たり処理を実行し、前記大入賞口８を開放するラウンドを１５回繰返して実行するように制御するＣＰＵ１９とを有し、
　前記ＣＰＵ１９は、リーチとならずハズレ図柄(以下「ハズレ図柄」という。)が表示される期待度を３００分の２４０、リーチとなるがハズレ図柄(以下「リーチハズレ図柄」という。)が表示される期待度を３００分の５９、大当たり図柄が表示される期待度を３００分の１に設定された乱数表を有することで、前記ハズレ図柄または前記リーチハズレ図柄が表示される期待度を前記大当たり図柄が表示される期待度よりも高く設定し、前記図柄変動処理により前記大当たり図柄が表示されて大当たりとなった場合には前記センター役物１０の前記羽根１０ｂを開放することなく前記大入賞口８を予め決められたモードにて所定期間だけ開放し、前記前記図柄変動処理により前記ハズレ図柄が表示されてハズレとなった場合には前記大入賞口８を開放することなく前記センター役物１０の前記羽根１０ｂを０．４秒間１回開放し、前記前記図柄変動処理により前記リーチハズレ図柄が表示されてリーチハズレとなった場合には前記大入賞口８を開放することなく前記センター役物１０の前記羽根１０ｂを０．６秒間２回開放し、かつ前記センター役物１０内に入賞したパチンコ玉がＶゾーン１０ｃに入賞することにより、前記大入賞口８を開放するラウンドを１５回繰返して実行すると共に、
　前記図柄変動処理によって、大当たり図柄、リーチハズレ図柄、ハズレ図柄を表示する液晶表示部１１が、前記羽根１０ｂ及び前記Ｖゾーン１０ｃを備えた前記センター役物１０内に設けられているパチンコ遊技機。」
　の発明が開示されていると認めることができる。
(以下、この発明を「引用発明」という。)
　
(３)対比
　引用発明の「盤面４」は、本願補正発明「遊技領域」に相当する。
　以下同様に「パチンコ玉」は、「遊技球」に
　「共通始動入賞口６」は、「始動入賞口」に、
　「大入賞口８」は、「第１の大入賞口」に、
  「期待度」は、「当選確率」に、それぞれ相当する。
　引用発明の「共通始動入賞口６に上記パチンコ球が入賞することにより行われた前記始動入賞処理に引き続き行われる図柄変動処理」は、共通始動入賞口６にパチンコ玉が入賞したことを契機として乱数を取得する始動入賞処理に引き続いて行われる図柄変動処理によって、該乱数値の当たりもしくはハズレを決定しているものであるから、この２つの処理を総合して、本願補正発明の「抽選」に相当する構成が記載されているといえる。
　引用発明の「大当たり」は、大入賞口８にパチンコ玉が１０個入賞するラウンドを１５ラウンド繰り返す大当たり状態を実行するから、所定期間の開放を行っているといえ、本願補正発明の「(第１の大入賞口を)所定期間開放」に相当する構成が記載されている。また、大入賞口８が開放することで「遊技領域を通過する遊技球を取り込み可能」となっていることは自明であるから、引用発明の「大当たり」は、本願補正発明の「第１の当たり」に相当する。
　引用発明のセンター役物１０に設けられた羽根１０ｂが拡開することにより生じる開口部は、「当たり」となった場合ではないが、リーチとならなかったハズレの場合及びリーチとなったハズレの場合に、それぞれ大入賞口８の開放期間とは異なる所定期間開放され、その開放期間にセンター役物１０内にパチンコ玉が入賞可能であるから、この「異なる所定期間」は「第２の所定期間」に相当し、パチンコ玉が入賞する点に関しては本願補正発明の「第２の大入賞口」に相当するといえる。また、センター役物１０内に設けられたＶゾーン１０ｃは、パチンコ玉が入賞することで大入賞口８を開放するラウンドを１５回繰返す大当たり処理が実行されるから、本願補正発明の「特別入賞口」に相当し、上記一連の処理を司る「ＣＰＵ１９」は本願補正発明の「遊技制御手段」に相当する。
　引用発明の「液晶表示部１１」は抽選の結果報知を行っている点で、本願補正発明の「表示手段」に相当し、同じく「センター役物１０」は、上記のとおり本願補正発明の「第２の大入賞口」と「特別入賞口」を備えているから、本願補正発明の「入賞装置」に相当する。
　以上のことから、両者は、
〈一致点〉
「遊技領域に設けられ、遊技球が入賞することにより抽選が行われる始動入賞口と、
　前記始動入賞口に上記遊技球が入賞することにより行われた前記抽選により第１の当たりとなった場合に所定期間開放され、前記遊技領域を通過する遊技球を取り込み可能にする第１の大入賞口と、
　前記抽選により、第２の所定期間開放され前記遊技領域を通過する遊技球を取り込み可能にする第２の大入賞口と、
　前記第２の大入賞口から取り込まれた遊技球が入賞することが可能な特別入賞口と、
　前記特別入賞口に遊技球が入賞することにより、前記第１の大入賞口を所定期間開放して前記遊技領域を通過する遊技球を取り込み可能に制御する遊技制御手段とを有し、
　前記抽選の結果報知として、図柄の何れかを表示する表示手段が前記第２の大入賞口及び前記特別入賞口を備えた入賞装置内に設けられている遊技機。」
　である点で一致し、以下の点で相違している。
　
〈相違点１〉
　第２の入賞口の開放に関して、本願補正発明は「第２の当たり」となった場合であるのに対して、
　引用発明では「リーチとならずハズレ」、もしくは、「リーチとなるがハズレ」となった場合である点。
　
〈相違点２〉
　特別入賞口に遊技球が入賞したことで開放される第１の大入賞口の開放期間に関して、本願発明では「第３の所定期間」であるのに対して、
　引用発明では「大入賞口８を開放するラウンドを１５回繰返して実行する」ことである点。
　
〈相違点３〉
　当たりの当選確率に関して、本願補正発明は「第２の当たりの当選確率を前記第１の当たり確率よりも高く」設定しているのに対して、
　引用発明では上記相違点１でも述べたように「第２の当たり」が存在しないため、当然そのような当選確率の設定がされていない点。
　
〈相違点４〉
　第１及び第２の大入賞口の開放態様に関して、本願補正発明は「第１の当たりとなった場合には第２の大入賞口を開放することなく第１の大入賞口を前記第１の所定期間開放し、第２の当たりとなった場合には、前記第１の大入賞口を開放することなく前記第２の大入賞口を前記第２の所定期間開放」しているのに対して、
　引用発明では上記相違点１でも述べたように「第２の当たり」が存在しないため、当然そのような開放態様をもたない点。
　
〈相違点５〉
　表示装置の表示内容に関して、本願補正発明は「第１の当たりを報知する図柄、第２の当たりを報知する図柄、第１の当たりでも第２の当たりでもない外れを報知する図柄」であるのに対して、
　引用発明では上記相違点１でも述べたように「第２の当たり」が存在しないため、当然そのような表示内容ではなく「大当たり図柄、リーチハズレ図柄、ハズレ図柄」である点。
　
(４)判断
　相違点１、３、４、５について
　相違点１、３、４、５は、いずれも引用発明が「第２の当たり」を持たないことに起因する相違点であるので、併せて検討する。
　本願補正発明における「第２の当たり」とは、発明の詳細な説明を参酌すると、始動入賞口に遊技球が入賞することにより行われる抽選の結果、第２の大入賞口が開放されることである。引用発明においても、共通始動入賞口６にパチンコ玉が入賞することにより行われる抽選の結果、例えばリーチとなるがハズレとなる場合、センター役物１０に設けられた羽根１０ｂが０．６秒間２回開放されるものであるから、この「リーチとなるがハズレ」となる場合を本願補正発明の「第２の当たり」とすることは、単なる呼称の相違というべきものであって、何ら技術的困難性はなく、当業者が容易になし得たものである。
　ここで、引用発明において「リーチとならずハズレ」の場合であっても、センター役物１０に設けられた羽根１０ｂが０．４秒間１回開放されているが、遊技者に対する利益をどのように設定するかは、遊技機の技術分野において当業者が適宜定める程度の事項に過ぎず、引用発明における「リーチとならずハズレ」の場合に、本願補正発明における「第１の当たりでも第２の当たりでもない外れ」と同様の遊技者に対して何らの利益も付与することがない単なる「ハズレ」とすることは、当業者が容易になし得たものである。
　「第２の当たりの当選確率を前記第１の当たり確率よりも高く」設定する点については、引用発明において、本願補正発明の「第２の当たり」に相当する「リーチとなるがハズレ」となる場合の期待度は「３００分の５９」であり、本願補正発明の「第１の当たり」に相当する「大当たりとなる場合」の期待度は「３００分の１」であるから、引用発明も「第２の当たりの当選確率を前記第１の当たり確率よりも高く」設定されている構成を有しているものである。
　「第１の当たりとなった場合には第２の大入賞口を開放することなく第１の大入賞口を前記第１の所定期間開放し、第２の当たりとなった場合には、前記第１の大入賞口を開放することなく前記第２の大入賞口を前記第２の所定期間開放」する点については、引用発明には、「大当たり」となった場合にセンター役物１０に設けられた羽根１０ｂが開放されないこと、及び、「リーチとなるがハズレ」となった場合に大入賞口８が開放されないかについての明記はないが、引用例１の【図１０】−【図１２】に記載される羽根開放処理及び大当たり処理を参酌するに、本願補正発明と同様の開放態様となっており、「大当たり」となった場合にセンター役物１０に設けられた羽根１０ｂが開放されない、及び、「リーチとなるがハズレ」となった場合に大入賞口８が開放されないことは自明である。
　表示装置おける表示内容については、本願補正発明における「第１の当たりを報知する図柄、第２の当たりを報知する図柄、第１の当たりでも第２の当たりでもない外れを報知する図柄」も、引用発明の「大当たり図柄、リーチハズレ図柄、ハズレ図柄」も、その記載された順に遊技者に付与される利益が減少する点で軌を一にしており、さらに上記したように「リーチとならずハズレ」を、遊技者に対して何らの利益も付与しない「ハズレ」とすることが当業者にとって容易であるから、引用発明における液晶表示部１１に「第１の当たりを報知する図柄、第２の当たりを報知する図柄、第１の当たりでも第２の当たりでもない外れを報知する図柄の何れかを表示」するようにすることは、当業者が容易になし得たものである。
　
〈相違点２〉について
　本願補正発明においては、第１の所定期間と第３の所定期間は用語が異なるものの、本願の発明の詳細な説明には異なる期間であるとの記載はないため、第１の所定期間と第３の所定期間が同じである場合と異なる場合とに分けて検討する。
　引用発明の大入賞口８が大当たりとなった場合の予め決められたモードにて所定期間だけ開放される、その「所定期間」を検討する。引用文献の【００３０】−【００３１】及び【図１２】の記載を総合すると、開放された大入賞口８に１０個のパチンコ玉が入賞すると一旦閉鎖するラウンドを１５ラウンド繰り返すことが「所定期間」である。
　また、引用発明のセンター役物１０内に入賞したパチンコ玉がＶゾーン１０ｃに入賞することで開始される大当たりの開放期間は、引用文献の【００３３】の記載を総合すると、
図１２と同じ大当たり処理であって、開放された大入賞口８に１０個のパチンコ玉が入賞すると一旦閉鎖するラウンドを１５ラウンド繰り返すこととなっている。
　よって、引用発明において、上記第１の所定期間に対応する前者と、上記第３の所定期間に対応する後者が示す所定期間は同じであるから、第１の所定期間と第３の所定期間が同じであるとした場合の本願補正発明と引用発明とに差異はない。
　次に、第１の所定期間と第３の所定期間が異なる場合であるが、大当たりの発生の経緯によって遊技者に付与する利益を異ならせることは、遊技機の技術分野において引用例をあげるまでもなく周知であるから、引用発明において大当たりの発生の経緯によって遊技者に付与する利益を異ならせるようにして、相違点２の構成とすることは、当業者が容易になし得たものである。
　以上のように、本願補正発明は、引用発明および周知技術に基づいて、当業者が容易に発明をすることができたものである。
　したがって、本願補正発明は、特許法第２９条第２項の規定により、その特許出願の際に独立して特許を受けることができない。
　
(５)本願補正発明についてのまとめ
　本件補正は、平成１８年法律第５５号改正附則第３条第１項によりなお従前の例によるとされる同法による改正前の特許法第１７条の２第５項において準用する同法第１２６条第５項の規定に違反するものであるから、特許法第１５９条第１項の規定において読み替えて準用する同法第５３条第１項の規定により却下すべきものである。
　
１．本願発明について
　(１)本願発明及び引用文献に記載された発明
　平成２３年６月３０日付けの手続補正は上記のとおり却下され、平成２３年１月１４日付けの手続補正は審査において却下されているので、請求項に係る発明は、平成２２年９月２日付け手続補正により補正された特許請求の範囲に記載されたとおりのものである。
　そして、その請求項１により特定される発明は次のとおりである。
　「　　【請求項１】
　遊技領域に設けられ、遊技球が入賞することにより抽選が行われる始動入賞口と、
　前記始動入賞口に上記遊技球が入賞することにより行われた前記抽選により第１の当たりとなった場合に第１の所定期間開放され、前記遊技領域を通過する遊技球を取り込み可能にする第１の大入賞口と、
　前記抽選により第２の当たりとなった場合に第２の所定期間開放され、前記遊技領域を通過する遊技球を取り込み可能にする第２の大入賞口と、
　前記第２の大入賞口から取り込まれた遊技球が入賞することが可能な特別入賞口と、
　前記特別入賞口に遊技球が入賞することにより、前記第１の大入賞口を第３の所定期間開放して前記遊技領域を通過する遊技球を取り込み可能に制御する遊技制御手段とを有し、
　前記遊技制御手段は、前記第２の当たりの当選確率を前記第１の当たり確率よりも高く設定し、前記抽選により前記第１の当たりとなった場合には前記第２の大入賞口を開放することなく前記第１の大入賞口を前記第１の所定期間開放し、前記抽選により前記第２の当たりとなった場合には、前記第１の大入賞口を開放することなく前記第２の大入賞口を前記第２の所定期間開放し、かつ、前記第２の大入賞口から取り込まれた遊技球が前記特別入賞口に入賞することにより、前記第１の大入賞口を前記第３の所定期間開放することを特徴とする遊技機。」
(この発明を「本願発明１」という。)
　
　一方、原査定の拒絶の理由に引用された特開２００５−１７７１３７号公報(引用例１)に記載された発明(引用発明)は、前記「２.(２)」に記載したとおりである。
　
(２)対比・判断
　本願発明１は前記２．で検討した本願補正発明から旧請求項６に記載された技術事項及び表示手段に表示される表示内容として「第１の当たりを報知する図柄、第２の当たりを報知する図柄、第１の当たりでも第２の当たりでもない外れを報知する図柄の何れか」を表示するという技術事項を除いたものである。
　そうすると、本願発明１の構成要件をすべて含み、さらに他の構成要件を付加したものに相当する本願補正発明が、前記２．(４)に記載したとおり、引用発明１および周知技術に基づいて当業者が容易に発明をすることができたものであるから、本願発明１も、同様の理由により、当業者が容易に発明をすることができたものである。
　
(３)むすび
　以上のとおり、本願発明１は、引用発明および周知技術に基づいて当業者が容易に発明をすることができたものであり、特許法第２９条第２項の規定により特許を受けることができない。
　したがって、本願は、他の請求項について検討するまでもなく、拒絶されるべきものである。
　よって、結論のとおり審決する。